(57)【要約】      （修正有）【課題】製薬の腹腔内投与でその作用を遅延させる方法を提供する。【解決手段】米粉を蒸留水で練り、球を１０ｍｍ．の経で作成し中心部に向かう穴を設け、この穴に血圧の薬等を封入した後、同一の材料で穴を塞ぎ、且つ丸く形成して成る、腹腔内投与における血圧剤の作用の遅延方法。腹腔内に投与された球は３〜４時間を経て、露出した薬が溶解を始め作用することを手段とする。【選択図】図４
2010088852.tif 000002
【特許請求の範囲】
【請求項１】
米粉で球５を作り（経１０ｍｍ．）且つ、その球の中心部に向け穴（ホール）を開ける、この穴は薬を封入する穴で、この球を１〜２分間熱煮沸する、その後約１時間の乾燥を施し、穴の中に血圧の薬或いはＨ２ブロッカー・プロトンポンプ剤の胃酸分泌抑制剤等を封入する、このホールを球と同一の材料で塞ぎ、丸く形成するところの腹腔内への血圧剤投与に於ける作用の遅延方法。（ただし本願のみで血圧の降下は望めず、本願を含めた投薬でなくてはいけない。）
【発明の詳細な説明】
【技術分野】
【０００１】製薬の腹腔内投与でその作用を遅延させる方法である。
【背景技術】
【０００２】
【特許文献１】特開２００７−１４３４５１従来、薬品の腹腔内投与に於いては、苦味を伴う薬飲みにくい薬等を、オブラートに包んだりカプセル状にして飲む方法があった。【０００３】その他、製薬の段階で賊形剤等を混合し、硬く形成して胃に到達するまでを、解けないように工夫した薬品がある、又、舌下に差し込んで、急降下させるものがある。
【発明の開示】
【０００４】本願はそういった従来の方法とは異なり、腹腔内に投与された薬が即座に溶けることなく、３〜４時間を経て溶け始めるよう工夫された薬の作用の遅延方法を開発している。
【０００５】具体的に方法を箇条書きで記述する。
１．米粉を蒸留水等で練り、球状（経≒１０ｍｍ．）に丸く固める。
２．軟らかい内に棒等で中心に向かう穴（ホール）を開ける。
３．この球を熱湯に入れ１〜２分間煮沸する。
４．５分〜１時間乾燥する。
５．穴（ホール）に目的の薬を封じ込め穴に蓋をする。
６．丸く成形しさらに乾燥する事で成る。
【０００６】特許文献１を参考にしたが、本願に近い発明としては、殆んど例が見当たらず非常に厳しい選択であった、当発明が請求項１８で餅と高血圧を扱っている限り避けておけない。当発明では主にコンニャクの成分であるグルコマンナンと餅というのであって、本発明とはまったく異質である。又、食品の改良材ということである、以上で本願の製造過程であるが、球状の米粉の中に目的の薬を封じ込めた事が特徴に成っている。
【０００７】先願等で本発明に迫るものは皆無と思われる、又、先に述べたオブラートに包む方法又はカプセル状に加工されたもの、或いは賊形剤や硬化剤を使用したもの等はあるが、これ等は目的が異なり、胃に到達するまでの処置である。
【０００８】本願では腹腔内投与にて、作用を開始するまでの時間を遅延させることであり、したがって前述の０００７で述べた用法とは異なる。
【０００９】米粉を丸く形成し、中央部に向けて穴（ホール）を開ける事で、諸問題を解決した。例えば封じ込めた状態で薬を煮沸すると熱を掛けるため、薬品が溶解したり又は効力が薄くなったりといった問題を避けた。
【００１０】１〜２分で化学的に製造された薬品は溶解を始め、その成分さえ変化してくる、したがってこれは避けたい。
【課題を解決するための手段】
【００１１】成形における時点で以上の困難に遭遇したが解決点を見出した。米粉粒子に脱穀したものを水で溶かし練り、粘土状に固め次に球状に形作るが、経を１０ｍｍ．として、且つ中央部に向けて穴（ホール）を設ける。この状態を乾燥５分〜１時間を経てホールに薬を詰め込み、蓋をして丸く形成した事で成る本薬である。
【００１２】米粉を丸く形成した後、穴（ホール）を開け、その状態で熱煮沸すること、現在のところ米粉には番号がなく、粒子の状態を示す番号は製造工場によって一致してなく統一されていない状況であるとの事。
【００１３】５分〜１時間乾燥させ、その後薬（３）を（ホール）１に封入し穴の部分を同一の米粉で塞ぐ。同じ成分の米粉で穴を塞ぐことが重要である。
【００１４】こうすることで均一に球が形成され、腹腔内投与後もスムーズに溶解を始める事に成る。
【発明の効果】
【００１５】以上で効果に移る。効果としては、主体的に薬（３）の腹腔内への投与ということである、最も要求される事は、腹腔内に投与した場合、米粉の丸い球状の玉が次第に消化されてくることを確認した。狙い通り血圧が下がり安定した状況を保っている。
【００１６】以上練りから最終工程を経て腹腔内投与を成し、３〜４時間を経て薬が溶解を始める事に成る。（米粉は固まると永い間溶解しない事）が特徴である。
【００１７】では何故そんなものを考えたのか明確にすると、発明者は高血圧に悩まされており、クリニックの主治医が処方する薬は、その分量を増やしたり減らしたりするだけである。
【００１８】以上の状態で血圧のコントロールは非常に難しい。永い間には主治医もさじを投げたかに見えた。
【００１９】しかし主治医も相当の頑張り屋で諦めてはいないで何とかしようとしている。しかしこれも血圧の安定に至らない。
【００２０】そこで出願人も少しは考えなくてはいけない状況を感じ、投薬の方法を考える事にした。
【００２１】最初に思いついた事が作用の遅延をさせる事だと。
【００２２】そして本願に至ったつまり米粉（人体に無害）を、丸く形成し中央部に向かってホールを開け、その後血圧の薬（３）を封入しホールを塞ぐ事であった。
【００２３】出願人は病人であり、夜９時くらいに就寝する事が多いが、就寝前に飲みなさいと云われたら、その時間に飲むことが要求されているのだ。
【００２４】これがいけない。夜９時に寝ると朝６時までの長時間を夜９時に飲んだ薬は長持ちしない状況である。ただし本願のみで血圧の降下を望めず本願を含めた投薬でなくてはいけない。
【００２５】
【表１】
2010088852.tif 000003
【００２６】
【表２】
2010088852.tif 000004
【００２７】色々と思案した結果本発明に至り、腹腔内投与というか、出願人自身が飲んで試してみたところ、血圧も相当高い状態が５年或いは１０年間も続いていたが
【００２８】飲み始めると、１４０〜１６０くらいに降下し、その値を保っている。
【発明を実施するための最良の形態】
【００２９】米粉と定めた本願は、他の粉では間に合わない。製造の微妙な違いを実感し、本材の優秀さに惚れたのである。しかし無理にと言えば小麦粉でも出来る。【００３０】小麦粉で形成すると、まずベタつきがあり成形がやりづらい。又、腹腔内での消化時間が短く成る・・・といった問題が浮かんでくる。その様な訳で小麦粉を避けた一因でもある。
【図面の簡単な説明】
【００３１】
【図１】は米粉を球状に練り上げ加工段階である。（約≒１０ｍｍ．）
【図２】は薬を封入する前である。
【図３】は固まった球状の球に穴を開けた状態（断面図）
【図４】は穴を塞ぐ状態（同一の米粉を用いる）  全図は拡大図である
【符号の説明】
【００３２】１．球のホール（穴）
２．蓋（栓）同一の米粉を用いる。
３．薬（形状は限定しない）
４．空洞
５．米粉の包球
【図１】
2010088852.tif 000005
【図２】
2010088852.tif 000006
【図３】
2010088852.tif 000007
【図４】
2010088852.tif 000008
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
米粉で直径１０ｍｍ．の球（５）を作る工程と、前記球（５）に薬（３）を封入するための穴（１）を、前記球（５）の中心部に向けて開ける工程と、前記球（５）を１〜２分間煮沸する工程と、前記球（５）に約１時間の乾燥を施す工程と、前記穴（１）の中に血圧降下のための薬、及びＨ２ブロッカー・プロトンポンプ剤の、胃酸分泌抑制剤等（３）を封入する工程と、前記穴（１）を前記球（５）と同一の材料（２）で塞ぎ、前記球（５）を丸く形成する工程とを、この項に行うことを特徴する腹腔内への血圧降下剤、投与に於ける作用を開始するまでの時間を遅延させるようにした薬剤の製造方法。
【手続補正２】
【補正対象書類名】明細書
【補正対象項目名】全文
【補正方法】変更
【補正の内容】
【発明の詳細な説明】
【発明の詳細な説明】
【０００１】本願は高血圧症患者の血圧を下げ、日常生活を安定させる目的で成され、又、製造された薬を米粉で包む状態で成した他、Ｈ２ブロッカー・プロトポンプ剤の胃酸分泌抑制剤等をも封入することを目的とする、「血圧の降下のための薬」及び「血圧降下剤」又、Ｈ２ブロッカー・プロとポンプ剤等、胃酸分泌抑制を目的とした薬を封入して、その製造方法に関する。
【技術分野】
【０００２】製薬の腹腔内投与でその作用を遅延させる方法である。
【背景技術】
【０００３】（１）特許４０１５８１０−付着生カプセルの製造方法。
（２）特表２００６−５１５３２
汚性クッション性成分を含有する医薬品剤の製造方法。
（３）平成５年―６１９４２−ダイヤ加工成形カプセル及びその製造方法。【０００４】
【特許文献１】特開２００７−１４３４５１従来、薬品の腹腔内投与に於いては、苦味を伴う飲みにくい薬等を、オブラートに包んだりカプセル状にして飲む方法があった。【０００５】その他、製薬の段階で賊形剤等を混合し、硬く形成して胃に到達するまでを、解けないように工夫した薬品がある、又、舌下に差し込んで、急降下させるものがある。
【発明の開示】
【０００６】本願はそういった従来の方法とは異なり、腹腔内に投与された薬が即座に溶けることなく、３〜４時間を経て溶け始めるよう工夫された薬の作用の遅延方法を開発している。
【０００７】具体的に方法を箇条書きで記述する。
１．  米粉を蒸留水等で練り、球状（経≒１０ｍｍ．）に丸く固める。
２．  軟らかい内に棒等で中心に向かう穴（ホール）を開ける。
３．  この球を熱湯に入れ１〜２分間煮沸する。
４．  ５分〜１時間乾燥する。
５．  穴（ホール）に目的の薬を封じ込め穴に蓋をする。
６．  丸く成形しさらに乾燥する事で成る。
【０００８】特許文献１を参考にしたが、本願に近い発明としては、殆んど例が見当たらず非常に厳しい選択であった、当発明が請求項１８で餅と高血圧を扱っている限り避けておけない。当発明では主にコンニャクの成分であるグルコマンナンと餅というのであって、本発明とはまったく異質である。又、食品の改良材ということである、以上で本願の製造過程であるが、球状の米粉の中に目的の薬を封じ込めた事が特徴に成っている。
【０００９】先願等で本発明に迫るものは皆無と思われる、又、先に述べたオブラートに包む方法又はカプセル状に加工されたもの、或いは賊形剤や硬化剤を使用したもの等はあるが、これ等は目的が異なり、胃に到達するまでの処置である。
【発明の開示】
【００１０】具体的に製造工程を筒状書にて記述する。
１．  米粉を蒸留水等で形成しやすく練り、球状直径１０ｍｍ．に丸固める。
手摺みで丸く、或いは楕円状に形作る工程。
２．  軟らかい間に穴あけパンチ等で中心に向け、直径７ｍｍ．の穴を間ける工程。
３．  この球を熱湯に入れ１〜２分間煮沸すると固まる工程。
４．  ５分〜１時間、自然乾燥又は乾燥機等で乾燥する。
５．  穴（１）に目的の薬（血圧降下剤）等の錠剤を入れる工程。
６．  この後栓を詰めるが、その際の栓はあらかじめくり抜いた材料で成ることを特徴とする、湯に付けて置き再び球へ戻すことの工程。
【００１１】米粉を丸く形成し、中央部に向けて穴（１）を開ける事で、諸問題を解決した。例えば封じ込めた状態で薬を煮沸すると熱を掛けるため、薬品が溶解したり又は効力が薄くなったりといった問題を避けた。
【００１２】１〜２分で化学的に製造された薬品は溶解を始め、その成分さえ変化してくる、したがってこれは避けたい。
【課題を解決するための手段】
【００１３】成形における時点で以上の困難に遭遇したが解決点を見出した。米粉粒子に脱穀したものを水で溶かし練り、粘土状に固め次に球状に形作るが、経を１０ｍｍ．として、且つ中央部に向けて穴（１）を設ける。この状態を乾燥５分〜１時間を経てホールに薬を詰め込み、蓋をして丸く形成した事で成る本薬である。
【００１４】米粉を丸く形成した後、穴（１）を開け、その状態で熱煮沸すること、現在のところ米粉には番号がなく、粒子の状態を示す番号は製造工場によって一致してなく統一されていない状況であるとの事。
【００１５】５分〜１時間乾燥させ、その後薬（３）を穴（１）に封入し穴の部分を同一の米粉で塞ぐ。同じ成分の米粉で穴を塞ぐことが重要である。
【００１６】こうすることで均一に球が形成され腹腔内投与後もスムーズに溶解を始める事に成る。
【発明の効果】
【００１７】以上で効果に移る。効果としては、主体的に薬（３）の腹腔内への投与ということである、最も要求される事は、腹腔内に投与した場合、米粉の丸い球状の玉が次第に消化されてくることを確認した。狙い通り血圧が下がり安定した状況を保っている。
【００１８】以上練りから最終工程を経て腹腔内投与を成し、３〜４時間を経て薬が溶解を始める事に成る。（米粉は固まると永い間溶解しない事）が特徴である。
【００１９】では何故そんなものを考えたのか明確にすると発明者は高血圧に悩まされており、クリニックの主治医が処方する薬は、その分量を増やしたり減らしたりするだけである。
【００２０】以上の状態で血圧のコントロールは非常に難しい。永い間には主治医もさじを投げたかに見えた。
【００２１】しかし主治医も相当の頑張り屋で諦めてはいないで何とかしようとしている。しかしこれも血圧の安定に至らない。
【００２２】そこで出願人も少しは考えなくてはいけない状況を感じ投薬の方法を考える事にした。
【００２３】最初に思いついた事が作用の遅延をさせる事だと。
【００２４】そして本願に至ったつまり米粉（人体に無害）を、丸く形成し中央部に向かって穴（１）を開け、その後血圧の薬（３）を封入し再度穴（１）を塞ぐ事であった。
【００２５】出願人は病人であり、夜９時くらいに就寝する事が多いが、就寝前に飲みなさいと云われたら、その時間に飲むことが要求されているのだ。
【００２６】これがいけない。夜９時に寝ると朝６時までの長時間を夜９時に飲んだ薬は長持ちしない状況である。ただし本願のみで血圧の降下を望めず本願を含めた投薬でなくてはいけない。
【００２７】
【表１】
2010088852.tif 000009
【００２８】
【表２】
2010088852.tif 000010
【００２９】色々と思案した結果本発明に至り、腹腔内投与というか、出願人自身が飲んで試してみたところ、血圧も相当高い状態が５年或いは１０年間も続いていたが
【００３０】飲み始めると、１４０〜１６０くらいに降下し、その値を保っている。
【発明を実施するための最良の形態】
【００３１】米粉と定めた本願は、他の粉では間に合わない。製造の微妙な違いを実感し、本材の優秀さに惚れたのである。しかし無理にと言えば小麦粉でも出来る。【００３２】小麦粉で形成すると、まずベタつきがあり成形がやりづらい。又、腹腔内での消化時間が短く成る・・・といった問題が浮かんでくる。その様な訳で小麦粉を避けた一因でもある。
【図面の簡単な説明】
【００３３】
【図１】米粉を球状に練り、加工斜視図（直径約１０ｍｍ弱．）
【図２】薬を封入する前の図
【図３】固まった球状の球に穴を開けた状態（遮断図）
【図４】穴を塞ぐ状態
【図５】薬球（実施態様の楕円形）
【図６】加圧角棒  全図は拡大図である
【符号の説明】
【００３４】      １．球の穴
２．塞（打ち抜いた所を用いる）
３．薬（形状に限定しない）
４．包球（煮沸後すぐ）
５．薬（実施態様の楕円形）
６．加圧角棒（棒を回したら押し込む）
【手続補正３】
【補正対象書類名】図面
【補正対象項目名】図５
【補正方法】追加
【補正の内容】
【図５】
2010088852.tif 000011
【手続補正４】
【補正対象書類名】図面
【補正対象項目名】図６
【補正方法】追加
【補正の内容】
【図６】
2010088852.tif 000012
2010088852.tif 000013
2010088852.tif 000014
【手続補正書】
【提出日】平成21年5月31日(2009.5.31)
【手続補正１】
【補正対象書類名】特許請求の範囲
【補正対象項目名】全文
【補正方法】変更
【補正の内容】
【特許請求の範囲】
【請求項１】
米粉で直径１０ｍｍの球（５）を作る工程と、前記球（５）に薬（３）を封入するための穴（１）を、前記球（５）の中心部に向けて開ける工程と、前記球（５）を１〜２分間煮沸する工程と、前記球（５）に約１時間の乾燥を施す工程と、前記穴（１）の中に血圧降下のための薬、及びＨ２ブロッカー・プロトンポンプ剤の、胃酸分泌抑制剤等（３）を封入する工程と、前記穴（１）を前記球（５）と同一の材料（２）で塞ぎ、前記球（５）を丸く形成する工程とを、この順に行う事を特徴とする腹腔内への血圧降下剤投与に於ける作用を開始するまでの時間を遅延させるようにした薬剤の製造方法。
【手続補正２】
【補正対象書類名】明細書
【補正対象項目名】全文
【補正方法】変更
【補正の内容】
【発明の詳細な説明】
【発明の詳細な説明】
【０００１】  本願は高血圧症患者の血圧を下げ、日常生活を安定させる目的で成され、又、製造された薬を米粉で包む状態で成した他、Ｈ２ブロッカー・プロトンポンプ剤の胃酸分泌抑制剤等をも封入することを目的とする、「血圧の降下のための薬」及び「血圧降下剤」又、Ｈ２ブロッカー・プロトンポンプ剤等、胃酸分泌抑制を目的とした薬を封入して、その製造方法に関する。
【技術分野】
【０００２】  製薬の腹腔内投与で、その作用を遅延させる方法である。
【背景技術】
【０００３】  （１）［特許４０６５８１０］付着生カプセルの製造方法。
（２）［特表２００５−５１５３２０］
活性クッション性成分を含有する医薬品剤の製造方法。
（３）［特公平５年６１９４２］ダイ加圧成形カプセル及びその製造方法。【０００４】
【特許文献１】特開２００７−１４３４５１  従来、薬品の腹腔内投与に於いては、苦味を伴う飲みにくい薬等を、オブラートに包んだりカプセル状にして飲む方法があった。【０００５】  その他、製薬の段階で賊形剤等を混合し、硬く形成して胃に到着するまでを、溶けないようにした工夫した薬品がある、又、舌下に差し込んで、急降下させるものがある。
【発明の開示】
【０００６】  本願はそういった従来の方法とは異なり、腹腔内に投与された薬が即座に溶けることなく、３〜４時間を経て溶け始めるよう工夫された薬の作用の遅延方法を開発している。
【０００７】  具体的に方法を箇条書きで記述する。
１．米粉を蒸留水等で練り、球状（経≒１０ｍｍ）に丸く固める。
２．軟らかいうちに棒等で中心に向かう穴（ホール）を開ける。
３．この球を熱湯に入れ１〜２時間煮沸する。
４．５分〜１時間乾燥する。
５．穴（ホール）に目的の薬を封じ込め穴に蓋をする。
６．丸く成形し更に乾燥する事で成る。
【０００８】  特許文献１を参考にしたが、本願に近い発明としては、殆ど例が見当たらず非常に厳しい選択であった、当発明が請求項１８で餅と高血圧を扱っている限り避けておけない、当発明では主にコンニャクの成分である、グルコマンナンと餅というのであって、本発明とはまったく異質である、又、食品の改良剤ということである、以上で本願の製造過程であるが、球状の米粉の中に目的の薬を封じ込めた事が特徴に成っている。
【０００９】  先願等で、本発明に迫るものは皆無と思われる、又、先に述べたオブラートに包む方法、又はカプセル状に加工されたもの、或いは賊形剤や硬化剤を使用したもの等はあるが、これ等は目的が異なり、胃に到達するまでの処置である。
【発明の開示】
【００１０】  具体的に製造工程を筒状書にて記述する。
１．米粉を蒸留水等で形成しやすく練り、球状直径１０ｍｍに丸く固める。
手揉みで丸く形成する工程。
２．軟らかい間に穴あけパンチ等で中心に向け、直径７ｍｍの穴を開ける工程。
３．この球を熱湯に入れ１〜２分間煮沸すると固まる工程。
４．５分〜１時間、自然乾燥又は乾燥機等で乾燥する。
５．穴（１）に目的の薬（血圧降下剤）等の錠剤を入れる工程。
６．この後栓を詰めるが、その際の栓はあらかじめくり抜いた材料でなることを特徴と      する、湯に付けておき再び球へ戻す事の工程。
【００１１】  米粉を丸く形成し、中央部向けて穴（１）を開ける事で諸問題を解決した、例えば、封じ込めた状態で、薬を煮沸すると熱をかけるため、薬品が溶解したり、又は効力が薄くなったりといった問題を避けた。
【００１２】  １〜２分で化学的に製造された薬品は溶解を始め、その成分さえ変化してくる、したがってこれは避けたい。
【課題を解決するための手段】
【００１３】  成形における時点で以上の困難に遭遇したが解決点を見出した、米粉粒子に脱穀したものを水で溶かし練り、粘土状に固め次に球状に形作るが、径を１０ｍｍとして且つ中央部に向けて穴（１）を設ける、この状態を乾燥５分〜１時間を経て穴に薬を詰め込み、蓋をして丸く形成した事で成ることを工程とする。
【００１４】  米粉を丸く形成した後、穴（１）を開け、その状態で熱煮沸すること、現在のところ米粉には番号がなく、粒子の状態を示す番号は製造工場によって一致してなく統一されていない状況であるとの事。
【００１５】  ５分〜１時間乾燥させ、その後薬（３）を穴（１）に封入し、穴の部分を同一の米粉で塞ぐ、同じ成分の米粉で塞ぐ事が重要である。
【００１６】こうすることで均一に球が形成され腹腔内投与後もスムーズに溶解を始める事に成る。
【発明の効果】
【００１７】以上で効果に移る。効果としては、主体的に薬（３）の腹腔内への投与ということである、最も要求される事は、腹腔内に投与した場合、米粉の丸い球状の玉が次第に消化されてくることを確認した。狙い通り血圧が下がり安定した状況を保っている。
【００１８】以上練りから最終工程を経て腹腔内投与を成し、３〜４時間を経て薬が溶解を始める事に成る。（米粉は固まると永い間溶解しない事）が特徴である。
【００１９】では何故そんなものを考えたのか明確にすると発明者は高血圧に悩まされており、クリニックの主治医が処方する薬は、その分量を増やしたり減らしたりするだけである。
【００２０】以上の状態で血圧のコントロールは非常に難しい。永い間には主治医もさじを投げたかに見えた。
【００２１】しかし主治医も相当の頑張り屋で諦めてはいないで何とかしようとしている。しかしこれも血圧の安定に至らない。
【００２２】そこで出願人も少しは考えなくてはいけない状況を感じ投薬の方法を考える事にした。
【００２３】最初に思いついた事が作用の遅延をさせる事だと。
【００２４】そして本願に至ったつまり米粉（人体に無害）を、丸く形成し中央部に向かって穴（１）を開け、その後血圧の薬（３）を封入し再度穴（１）を塞ぐ事であった。
【００２５】出願人は病人であり、夜９時くらいに就寝する事が多いが、就寝前に飲みなさいと云われたら、その時間に飲むことが要求されているのだ。
【００２６】これがいけない。夜９時に寝ると朝６時までの長時間を夜９時に飲んだ薬は長持ちしない状況である。ただし本願のみで血圧の降下を望めず本願を含めた投薬でなくてはいけない。
【００２７】
【表１】
2010088852.tif 000015
【００２８】
【表２】
2010088852.tif 000016
【００２９】色々と思案した結果本発明に至り、腹腔内投与というか、出願人自身が飲んで試してみたところ、血圧も相当高い状態が５年或いは１０年間も続いていたが
【００３０】飲み始めると、１４０〜１６０くらいに降下し、その値を保っている。
【発明を実施するための最良の形態】
【００３１】米粉と定めた本願は、他の粉では間に合わない。製造の微妙な違いを実感し、本材の優秀さに惚れたのである。しかし無理にと言えば小麦粉でも出来る。【００３２】小麦粉で形成すると、まずベタつきがあり成形がやりづらい。又、腹腔内での消化時間が短く成る・・・といった問題が浮かんでくる。その様な訳で小麦粉を避けた一因でもある。
【図面の簡単な説明】
【００３３】
【図１】米粉を球状に練り、加工斜視図（直径約１０ｍｍ弱）
【図２】薬を封入する前の図
【図３】固まった球状の球に穴を開けた状態（遮断図）
【図４】穴を塞ぐ状態  全図は拡大図である
【符号の説明】
【００３４】      １．球の穴
２．塞（打ち抜いた所を用いる）
３．薬（形状に限定しない）
４．包球（煮沸後すぐ）
【手続補正３】
【補正対象書類名】図面
【補正対象項目名】図５
【補正方法】削除
【補正の内容】
【手続補正４】
【補正対象書類名】図面
【補正対象項目名】図６
【補正方法】削除
【補正の内容】
【手続補正５】
【補正対象書類名】図面
【補正対象項目名】全図
【補正方法】変更
【補正の内容】
【図１】
2010088852.tif 000017
【図２】
2010088852.tif 000018
【図３】
2010088852.tif 000019
【図４】
2010088852.tif 000020